(57)【特許請求の範囲】
【請求項１】
前方吊り上げ部と後方吊り上げ部を有する吊り上げ用治具であり、
前記前方吊り上げ部と後方吊り上げ部が設けられる中央フレームと、
前記中央フレームの前部に連結され、かつ中央フレーム幅よりも長く、揚重資材を吊り下げる吊り下げ部を有する前方フレームと、
前記中央フレームの後側に連結されるカウンタウエイトの取付部を有する後方フレームとを有し、
前記中央フレームの前側左右に、吊り上げ位置を前後方向に変更可能な前方吊り上げ部を設け、
前記中央フレームの後側左右に、吊り上げ位置を固定した後方吊り上げ部を設け、
前記前方フレームの吊り下げ部は、複数の平板を前方フレーム軸方向に所定間隔で隔てて直角に前記前方フレームに固定し、
前記複数の平板には前後方向に複数の貫通孔が形成され、この貫通孔に通しピンを貫通して取付可能になっており、
前記通しピンは、前記複数の貫通孔から選択して取付けることで、前記通しピンの前後方向の取付位置が変更可能であり、
前記中央フレームの前後方向または前記中央フレームの左右方向に吊り下げ位置を調整し、前記中央フレームと吊り荷の角度をつけて吊り下げ可能に構成したことを特徴とする吊り上げ用治具。
【請求項２】
前記中央フレームは、単数または複数の鋼材で構成したことを特徴とする請求項１に記載の吊り上げ用治具。
【発明の詳細な説明】
【０００１】
【発明の属する技術分野】
この発明は、例えば、ＰＣａ（プレキャストコンクリート）部材や半ＰＣａ部材を採用した共同住宅等の半ＰＣａ製のバルコニーや廊下のような建物外面部における構築部材や支保工、その他の資材や機材を吊り上げるための吊り上げ用治具に関する。
【０００２】
【従来の技術】
このような吊り上げ用治具として、例えば、図１９に示すように、フレーム１００の一方に吊りワイヤ１０１を設け、動力装置１０２の駆動によりワイヤ１０３，１０４を介してカウンタウエイト１０５を吊荷重量に応じて移動させ、全体重心位置を一定にするものがある。
【０００３】
【発明が解決しようとする課題】
ところで、カウンタウエイト１０５を吊荷重量に応じて移動させる構造が複雑になり、動力装置１０２、バッテリー１０６の保守が必要で、本体形状も大きくなる。
【０００４】
また、フレーム１００が長方形になっているため、フレーム１００が邪魔になり建物のコーナ部の入り組んだ複雑な空間での作業に対応することができなかった。
【０００５】
この発明は、上記従来の問題点を解決するためになされたもので、その目的とするところは、簡単な構造で、建物のコーナ部の入り組んだ複雑な空間でも作業することができ、安全かつ能率的に吊り揚げることが可能な吊り上げ用治具を提供することにある。
【０００６】
【課題を解決するための手段】
前記課題を解決し、かつ目的を達成するために、この発明は、以下のように構成した。
【０００９】
請求項１に記載の発明は、『前方吊り上げ部と後方吊り上げ部を有する吊り上げ用治具であり、
前記前方吊り上げ部と後方吊り上げ部が設けられる中央フレームと、
前記中央フレームの前部に連結され、かつ中央フレーム幅よりも長く、揚重資材を吊り下げる吊り下げ部を有する前方フレームと、
前記中央フレームの後側に連結されるカウンタウエイトの取付部を有する後方フレームとを有し、
前記中央フレームの前側左右に、吊り上げ位置を前後方向に変更可能な前方吊り上げ部を設け、
前記中央フレームの後側左右に、吊り上げ位置を固定した後方吊り上げ部を設け、
前記前方フレームの吊り下げ部は、複数の平板を前方フレーム軸方向に所定間隔で隔てて直角に前記前方フレームに固定し、
前記複数の平板には前後方向に複数の貫通孔が形成され、この貫通孔に通しピンを貫通して取付可能になっており、
前記通しピンは、前記複数の貫通孔から選択して取付けることで、前記通しピンの前後方向の取付位置が変更可能であり、
前記中央フレームの前後方向または前記中央フレームの左右方向に吊り下げ位置を調整し、前記中央フレームと吊り荷の角度をつけて吊り下げ可能に構成したことを特徴とする吊り上げ用治具。』である。
【００１０】
請求項１に記載の発明によれば、中央フレームに前方吊り上げ部と後方吊り上げ部が設けられ、また後方フレームにより容易にカウンタウエイトを着脱でき、しかも前方フレームが中央フレーム幅より長く、中央フレームは細幅であるから、建物のコーナ部の入り組んだ複雑な空間でも、中央フレームが養生枠等と干渉することが防止でき、安全かつ能率的に吊り上げることができる。中央フレームの前側左右に、吊り上げ位置を前後方向に変更可能な前方吊り上げ部を設けており、吊り上げ位置を前後方向に変更することで、定格荷重及び引き込み距離を変化させることができる。前方フレームの吊り下げ部は、中央フレームの前後方向または中央フレームの左右方向に吊り下げ位置を調整可能であり、中央フレームと吊り荷の角度をつけて吊り下げることで、外壁板等の揚重物を組み付ける構造物等の形状に合わせ、あるいは外壁板等の揚重物の形状に合わせた荷吊り作業が可能である。
【００１１】
請求項２に記載の発明は、『前記中央フレームは、単数または複数の鋼材で構成したことを特徴とする請求項１に記載の吊り上げ用治具。』である。
【００１２】
請求項２に記載の発明によれば、中央フレームが単数または複数の鋼材で構成され、簡単な構造でかつ細幅でありながら剛性を有する。
【００１７】
【発明の実施の形態】
以下、この発明の吊り上げ用治具の実施の形態を、図面を参照しながら説明するが、この発明はこの実施の形態に限定されない。
【００１８】
図１乃至図１０は吊り上げ用治具の構成を示すもので、図１は吊り上げ用治具の側面図、図２は吊り上げ用治具の平面図、図３は吊り上げ用治具の正面図、図４は吊り上げ用治具の背面図、図５はカンタウエイトを示す図、図６はカンタウエイトを取付けた状態を示す図、図７は引き込み距離を説明する側面図、図８は引き込み距離を説明する平面図、図９は吊り荷の角度をつけて吊り下げることを説明する側面図、図１０は吊り荷の角度をつけて吊り下げることを説明する平面図である。
【００１９】
吊り上げ用治具１は、中央フレーム２、前方フレーム３、後方フレーム４を有している。中央フレーム２は、前後方向に延び、一対の角柱鋼材２８，２８を連結鋼材２９で連結して構成され、幅Ｄ１に設定されている。中央フレーム２は、一対の角柱鋼材２８，２８と連結鋼材２９とで構成される簡単な構造で、しかも細幅でありながら剛性を有している。
【００２０】
前方フレーム３は、中央フレーム２の前側に連結され、長さがＤ２であり、中央フレーム幅Ｄ１より長く延び、揚重資材３０を吊り下げる吊り下げ部５を有している。吊り下げ部５は、複数の平板５０を所定間隔で隔てて直角に固定し、この複数の平板５０には前後方向に複数の貫通孔５０ａが形成され、この貫通孔５０ａに通しピン５１を貫通して取付可能になっている。この通しピン５１は、複数の貫通孔５０ａから選択して取付けることで、通しピン５１の前後方向の取付位置が変更可能である。
【００２１】
前方フレーム３の吊り下げ部５は、図７及び図８に示すように、通しピン５１の前後方向の取付位置を変更することで、揚重資材３０を吊り下げるロープ３１の位置を変えることができ、引き込み距離Ｌを変化させ、外壁板等の揚重物を組み付ける構造物等の形状に合わせ、あるいは外壁板等の揚重物の形状に合わせた荷吊り作業が可能である。なお、揚重資材３０を吊り下げる部材としてのロープ３１は、ナイロン製のロープでもよく、またロープに代えてワイヤ等を用いることができる。
【００２２】
また、前方フレーム３の吊り下げ部５は、図９及び図１０に示すように、左側の通しピン５１を後側に取り付け、右側の通しピン５１を前側に取り付け、前後方向の取付位置を変えることで、揚重資材３０を吊り下げるロープ３１の左右の位置を変え、中央フレーム２と揚重資材３０等の吊り荷の角度をつけて吊り下げることができ、外壁板等の揚重物を組み付ける構造物等の形状に合わせ、あるいは外壁板等の揚重物の形状に合わせた荷吊り作業が可能である。
【００２３】
後方フレーム４は、中央フレーム２の後側に連結され、長さがＤ３であり、  中央フレーム幅と略同じに延びているが、カウンタウエイトの重量や取付位置等から長さＤ３は任意に変更可能である。この後方フレーム４には、後方突出する取付部４０と、上方へ突出する取付部４１が設けられている。取付部４０のピン孔４０ａには、図５（ａ）に示すカウンタウエイト１０が取付ピン１１により着脱可能である。取付部４０のピン孔４０ａ及び取付部４１のピン孔４１ａには、図５（ｂ）に示すカウンタウエイト１２が取付ピン１３により着脱可能である。
【００２４】
このように、後方フレーム４に複数のカウンタウエイトを容易に着脱可能である。図６にはカウンタウエイト１０と、カウンタウエイト１２を取付ける状態を示し、カウンタウエイト１０が標準重量であり、カウンタウエイト１２を追加して取付けることで最大重量になるが、これに限定されずさらにカウンタウエイトを追加するようにしてもよい。また、取付部４０，４１は、カウンタウエイトを固定するものでもよい。
【００２５】
中央フレーム２の前側左右には、前後方向に所定間隔で形成された複数の吊り上げ孔２０ａを有する前方吊り上げ部２０が設けられ、また中央フレーム２の後側左右には、１個の吊り上げ孔２１ａを有する後方吊り上げ部２１が設けられ、吊り上げ孔２０ａに吊り部材３２が、吊り上げ孔２１ａに吊り部材３３が係合固定され、クレーンで吊り上げ可能になっている。
【００２６】
前方吊り上げ部２０の吊り上げ孔２０ａを選択して、吊り部材３２を係合固定することができる。図７に示すように、前側の吊り上げ孔２１ａを選択すると、引き込み距離が小さくなり、後側の吊り上げ孔２１ａを選択すると、引き込み距離が大きくなり、吊り上げ位置が前後方向に変えることで、定格荷重及び引き込み距離を変化させることができる。
【００２７】
また、中央フレーム２の前側に、支持脚部２３が設けられ、支持脚部２３により載置した状態で吊り下げ部５を浮かせた状態とし、吊り下げ部５に作業用の吊り金具を装着した状態で載置することができる。
【００２８】
次に、吊り上げ用治具を用いた外壁板の施工について説明する。図１１は外壁板の取り付け施工を示す建物の立面図、図１２は外壁板の取り付け施工を示す建物の平面図である。
【００２９】
クレーンフック７０に回転誘導装置７１が設けられ、回転誘導装置７１に吊り部材３２，３３を介して吊り上げ用治具１が吊り上げられ、この吊り上げ用治具１の吊り下げ部５に外壁板７３がロープ３１を介して吊り下げられている。
【００３０】
この外壁板７３の取り付けは、図１１に示すように、回転誘導装置７１を回転して揚重資材である外壁板７３を引き込み躯体７５に取り付けるが、引き込み距離Ｌが確保されているから、クレーンフック７０、回転誘導装置７１及び吊り部材３２が養生枠７６と干渉することがない。
【００３１】
また、図１２（ａ）に示すように、建物のコーナ部では、図９及び図１０に示すように外壁板７３を吊り下げた場合には、吊り上げ用治具１の前方フレーム３を斜めの状態で、外壁板７３を躯体７５に平行にして組み付けることができる。
【００３２】
また、図１２（ｂ）に示すように、建物のコーナ部では、図７及び図８に示すように外壁板７３を吊り下げた場合には、吊り上げ用治具１の前方フレーム３を平行の状態で外壁板７３が躯体７５に平行になり、この状態で組み付けることができる。
【００３３】
このように吊り上げ用治具１により外壁板７３を、躯体７５に平行にして組み付けられるが、前方フレーム３が中央フレーム幅より長く延び、中央フレーム２は細幅であるから、建物のコーナ部の入り組んだ複雑な空間でも、中央フレーム２が養生枠７６等と干渉することが防止でき、安全かつ能率的に吊り揚げることができる。
【００３４】
また、吊り上げ用治具１の中央フレーム２は、図１３に示すように構成することができる。この実施の形態の吊り上げ用治具１は、中央フレーム２が広幅な１個の角柱鋼材２８で構成されている。この中央フレーム２の左右の両側側部には、前後方向に所定間隔で形成された複数の吊り上げ孔を有する前方吊り上げ部２０が設けられている。また、中央フレーム２の後側左右側部には、１個の吊り上げ孔を有する後方吊り上げ部２１が設けられている。このように、中央フレーム２が広幅な１個の角柱鋼材２８で構成され、中央フレーム２がより細くなり、建物のコーナ部の入り組んだ複雑な空間でも、中央フレーム２が養生枠等と干渉することが防止でき、安全かつ能率的に吊り上げることができる。
【００３５】
また、前方吊り上げ部２０は、図１４及び図１５に示すように構成することができる。
【００３６】
図１４に示す実施の形態の前方吊り上げ部２０は、前後方向に所定間隔で形成された複数の吊り上げ係合片２０ｂを有し、この吊り上げ係合片２０ｂに吊り部材３２が係合固定され、クレーンで吊り上げ可能になっている。
【００３７】
図１５に示す実施の形態の前方吊り上げ部２０は、前後方向に所定間隔で鉄筋棒２０ｃを一対の角柱鋼材２８，２８間に掛け渡し、鉄筋棒２０ｃの両側の凹部２０ｃ１に吊り部材３２が係合固定され、クレーンで吊り上げ可能になっている。
【００３８】
また、吊り下げ部５は、図１６乃至図１８に示すように構成することができる。
【００３９】
図１６に示す実施の形態の吊り下げ部５は、複数の平板５０に前後方向に複数の係止爪５０ｂが形成され、この係止爪５０ｂに揚重資材を吊り下げるロープを係止する。また、係止爪５０ｂの左右の位置を変えることで、中央フレーム２と揚重資材等の吊り荷の角度をつけて吊り下げることができ、外壁板等の揚重物を組み付ける構造物等の形状に合わせ、あるいは外壁板等の揚重物の形状に合わせた荷吊り作業が可能である。
【００４０】
図１７に示す実施の形態の吊り下げ部５は、複数の平板５０を前方フレーム３の下部に沿わせて設け、この平板５０には図１７（ｂ）に示すように長手方向に複数の係止孔５０ｃが形成され、この係止孔５０ｃに揚重資材を吊り下げるロープを係止する。また、前側の平板５０の係止孔５０ｃと、後側の平板５０の係止孔５０ｃとの左右の係合位置を変えることで、中央フレーム２と揚重資材等の吊り荷の角度をつけて吊り下げることができ、外壁板等の揚重物を組み付ける構造物等の形状に合わせ、あるいは外壁板等の揚重物の形状に合わせた荷吊り作業が可能である。
【００４１】
図１８に示す実施の形態の吊り下げ部５は、図１７の実施の形態と同様に構成されるが、複数の平板５０には長手方向に複数の係止片５０ｄが形成され、この係止片５０ｄに揚重資材を吊り下げるロープを係止するように構成されている。
【００４３】
【発明の効果】
前記したように、請求項１に記載の発明では、中央フレームに前方吊り上げ部と後方吊り上げ部が設けられ、また後方フレームにより容易にカウンタウエイトを着脱でき、しかも前方フレームが中央フレーム幅より長く、中央フレームは細幅であるから、建物のコーナ部の入り組んだ複雑な空間でも、中央フレームが養生枠等と干渉することが防止でき、安全かつ能率的に吊り上げることができる。中央フレームの前側左右に、吊り上げ位置を前後方向に変更可能な前方吊り上げ部を設けており、吊り上げ位置を前後方向に変更することで、定格荷重及び引き込み距離を変化させることができる。
前方フレームの吊り下げ部は、中央フレームの前後方向または中央フレームの左右方向に吊り下げ位置を調整可能であり、中央フレームと吊り荷の角度をつけて吊り下げることで、外壁板等の揚重物を組み付ける構造物等の形状に合わせ、あるいは外壁板等の揚重物の形状に合わせた荷吊り作業が可能である。
【００４４】
請求項２に記載の発明では、中央フレームが単数または複数の鋼材で構成され、簡単な構造でかつ細幅でありながら剛性を有する。
【図面の簡単な説明】
【図１】吊り上げ用治具の側面図である。
【図２】吊り上げ用治具の平面図である。
【図３】吊り上げ用治具の正面図である。
【図４】吊り上げ用治具の背面図である。
【図５】カンタウエイトを示す図である。
【図６】カンタウエイトを取付けた状態を示す図である。
【図７】引き込み距離を説明する側面図である。
【図８】引き込み距離を説明する平面図である。
【図９】吊り荷の角度をつけて吊り下げることを説明する側面図である。
【図１０】吊り荷の角度をつけて吊り下げることを説明する平面図である。
【図１１】外壁板の取り付け施工を示す建物の立面図である。
【図１２】外壁板の取り付け施工を示す建物の平面図である。
【図１３】吊り上げ用治具の中央フレームの他の実施の形態を示す平面図である。
【図１４】吊り上げ用治具の前方吊り上げ部の他の実施の形態を示す側面図である。
【図１５】吊り上げ用治具の前方吊り上げ部の他の実施の形態を示す図である。
【図１６】吊り上げ用治具の吊り下げ部の他の実施の形態を示す側面図である。
【図１７】吊り上げ用治具の吊り下げ部の他の実施の形態を示す図である。
【図１８】吊り上げ用治具の吊り下げ部の他の実施の形態を示す正面図である。
【図１９】従来の吊り上げ用治具の側面図である。
【符号の説明】
１  吊り上げ用治具
２  中央フレーム
３  前方フレーム
４  後方フレーム
５  吊り下げ部
２０  前方吊り上げ部
２１  後方吊り上げ部
４０，４１  取付部
１０，１２  カウンタウエイト
【図１】
0004656552.tif 000002
【図２】
0004656552.tif 000003
【図３】
0004656552.tif 000004
【図４】
0004656552.tif 000005
【図５】
0004656552.tif 000006
【図６】
0004656552.tif 000007
【図７】
0004656552.tif 000008
【図８】
0004656552.tif 000009
【図９】
0004656552.tif 000010
【図１０】
0004656552.tif 000011
【図１１】
0004656552.tif 000012
【図１２】
0004656552.tif 000013
【図１３】
0004656552.tif 000014
【図１４】
0004656552.tif 000015
【図１５】
0004656552.tif 000016
【図１６】
0004656552.tif 000017
【図１７】
0004656552.tif 000018
【図１８】
0004656552.tif 000019
【図１９】
0004656552.tif 000020